(57)【要約】【課題】  光源から真っ直ぐ前方に進む光は遮断し、光源から前方斜めに進む光を透過させることができる新たな構造の角度依存性光線透過フィルムを提案する。【解決手段】  基材の表裏両側に、一つ又は複数の遮光領域と一つ又は複数の透光領域とを有する遮光層を備えた角度依存性光線透過フィルムであって、  該フィルムのフィルム面に垂直な方向（入射角０°）から入射する波長５５０ｎｍにおける光線透過率ｔ０に対し、該フィルムのフィルム面に対して入射角θで入射する波長５５０ｎｍにおける光線透過率ｔθが、θ＝１０〜７０°において常にｔθ＞ｔ０であることを特徴とする角度依存性光線透過フィルムを提案する。【選択図】図１
2014211596.tif 000002
【特許請求の範囲】
【請求項１】
フィルム面方向と平行な面内に、一つ又は複数の遮光領域と一つ又は複数の透光領域とを有する、少なくとも２つの遮光層を、フィルム厚さ方向に間隔をおいて備えた角度依存性光線透過フィルムであって、
該フィルムのフィルム面に垂直な方向（入射角０°）から入射する波長５５０ｎｍにおける光線透過率ｔ０に対し、該フィルムのフィルム面に対して入射角θで入射する波長５５０ｎｍにおける光線透過率ｔθが、θ＝１０〜７０°において常にｔθ＞ｔ０であることを特徴とする角度依存性光線透過フィルム。
【請求項２】
前記フィルムのフィルム面に垂直な方向（入射角０°）から入射する波長５５０ｎｍにおける光線透過率ｔ０が２〜５０％であり、かつ、該フィルムのフィルム面に対して入射角θで入射する波長５５０ｎｍにおける光線透過率ｔθが、θ＝１０〜７０°において常にｔθ＞ｔ０であることを特徴とする、請求項１に記載の角度依存性光線透過フィルム。
【請求項３】
前記フィルムのフィルム面に垂直な方向（入射角０°）から入射する波長５５０ｎｍにおける光線透過率ｔ０が２％未満であり、かつ、該フィルムのフィルム面に対して入射角θで入射する波長５５０ｎｍにおける光線透過率ｔθが、θ＝１０〜７０°において常にｔθ＞ｔ０であり、且つｔθ≧５％であることを特徴とする、請求項１に記載の角度依存性光線透過フィルム。
【請求項４】
前記フィルムの各遮光層において、合同又は相似の形状を呈する複数の透光領域が一定周期のパターンにより配列されていることを特徴とする請求項１〜３の何れかに記載の角度依存性光線透過フィルム。
【請求項５】
表裏両側の遮光層において、遮光領域と透光領域とが交互に配列されている場合に、前記基材の厚みＴと、遮光領域を挟んで隣り合う透光領域の中央位置間の距離Ｄが５≧Ｔ／Ｄ≧０．０５の関係を有することを特徴とする請求項１〜４の何れかに記載の角度依存性光線透過フィルム。
【請求項６】
フィルムの厚さ方向断面にみて、表裏一側の遮光層における各透光領域の位置と、表裏他側の遮光層における各透光領域の位置とが一致しないことを特徴とする、請求項１〜５の何れかに記載の角度依存性光線透過フィルム。
【請求項７】
フィルムの厚さ方向断面にみて、表裏一側の遮光層における各遮光領域と、表裏他側の遮光層における各遮光領域とが部分的に重なりあっていることを特徴とする請求項１〜６の何れかに記載の角度依存性光線透過フィルム。
【請求項８】
請求項７に記載の角度依存性光線透過フィルムにおいて、表裏一側の遮光層における各遮光領域と、表裏他側の遮光層における各遮光領域とが部分的に重なりあっている遮光領域の面積が、前記表裏一側の遮光層の面積の０％以上５０％以下であることを特徴とする角度依存性光線透過フィルム。
【請求項９】
フィルムの厚さ方向断面にみて、表裏一側の遮光層における各遮光領域と、表裏他側の遮光層における各遮光領域とが全く重なり合わないことを特徴とする請求項１〜６の何れかに記載の角度依存性光線透過フィルム。
【請求項１０】
少なくとも基材の表裏いずれかの側の遮光層における遮光領域が、正反射特性を有することを特徴とする請求項１〜９の何れかに記載の角度依存性光線透過フィルム。
【請求項１１】
少なくとも基材の表裏いずれかの側の遮光層における遮光領域が、拡散反射特性を有することを特徴とする請求項１〜９の何れかに記載の角度依存性光線透過フィルム。
【請求項１２】
前記基材の波長４００〜７００ｎｍにおける平均光線透過率が、５０％以上であることを特徴とする請求項１〜１１の何れかに記載の角度依存性光線透過フィルム。
【請求項１３】
前記基材が、光拡散フィルムを含むことを特徴とする請求項１〜１１の何れかに記載の角度依存性光線透過フィルム。
【請求項１４】
前記基材の屈折率が１．００以上２．００以下であることを特徴とする請求項１〜１１の何れかに記載の角度依存性光線透過フィルム。
【請求項１５】
前記基材の少なくとも表裏何れかの側の表面が凹凸形状を有することを特徴とする請求項１〜１１の何れかに記載の角度依存性光線透過フィルム。
【請求項１６】
前記基材が２層以上からなることを特徴とする請求項１〜１５の何れかに記載の角度依存性光線透過フィルム。
【請求項１７】
光源と、請求項１〜１６の何れかに記載の角度依存性光線透過フィルムを備えたバックライトモジュール。
【請求項１８】
請求項１７に記載のバックライトモジュールを備えた液晶表示装置。
【請求項１９】
光源と、請求項１〜１６の何れかに記載の角度依存性光線透過フィルムを備えた看板。
【請求項２０】
光源と、請求項１〜１６の何れかに記載の角度依存性光線透過フィルムを備えた窓ガラス。
【請求項２１】
光源と、請求項１〜１６の何れかに記載の角度依存性光線透過フィルムを備えた屋根材。
【発明の詳細な説明】
【技術分野】
【０００１】
本発明は、フィルムに入射する光線の入射角度によって、フィルムを透過して出射する光線の透過率が異なる角度依存性光線透過フィルムに関する。中でも、フィルム面に対して垂直に入射する光線（入射角＝０°）よりも、フィルム面に対して斜め方向から入射する光線（入射角＞０°）の方が、光線透過率が高い角度依存性を備えた角度依存性光線透過フィルムに関する。
【背景技術】
【０００２】
液晶表示装置は一般的に、液晶パネルの背面側に、該液晶パネルに光を供給するバックライトモジュールを配置して構成されている。
液晶表示装置のバックライトモジュールには、主に直下型方式とエッジライト型方式の２つの方式がある。このうちの直下型方式は、一つ又は複数の光源を基板上にマトリクス配置し、光源からある程度空間を設けた位置に拡散板を配置して輝度を均一化する方式である。他方のエッジライト型方式は、導光板の一側端（サイド又はボトム）に沿って多数の光源を一直線上に適宜間隔をおいて配置し、導光板側面から光線を入射させて輝度が均一化した後、導光板の前面から液晶パネルに光を出射する方式である。
【０００３】
直下型表示装置は、エッジライト型に比べて、高コントラストを実現できる反面、輝度ムラが発生し易く、輝度均一化のためにはバックライトユニット、特に拡散板の厚みが必要となるため、装置全体の厚みや重量が増加するという問題があった。そのため、直下型表示装置用バックライトに関しては、バックライトユニットの厚みを削減しつつ、輝度の均一性を改善する技術が求められていた。
【０００４】
このような観点から、特許文献１では、表示パネルの背面に配置され、前記表示パネルに光を照射する面状のバックライトユニットであって、前記表示パネルと対向する対向面に設けられ、それぞれ前記表示パネル方向に光を出射する複数の点光源と、前記点光源に対して前記表示パネルと反対側に対向して設けられた下側反射膜と、前記点光源に対して前記表示パネル側に前記下側反射膜と対向して設けられ、前記点光源から出射された光の一部を透過し、一部を反射する上側反射膜と、を備え、前記上側反射膜は、反射率８０％以上、透過率１８％以下の反射シートに、光を透過する複数の透孔からなる開口パターンを設けることにより光反射領域と光透過領域とが形成されてなる構成を備えたバックライトユニットが開示されている。
【０００５】
また、特許文献２では、薄型で且つ両面を同時に均一な輝度で照射することが可能な導光板として、第１出光面と、上記第１出光面に対向する面である第２出光面と、上記第１出光面および上記第２出光面の間の側面のうち、少なくとも一つの上記側面に設けられた入光面とを有する本体部と、上記第１出光面および上記第２出光面上に形成され、導光方向に沿って直線状に形成された単位プリズムが導光方向と交差する方向に複数配置されてなる光学要素部とを有することを特徴とする導光板が提案されている。
【０００６】
特許文献３には、エッジライト型の面光源装置において、光源部に対する距離によって生じる輝度ムラを改善して面内輝度の均一性を向上させることができる光学シートとして、プリズムフィルムと基材フィルムとこれらを一体に接合する接合層とを備え、接合層が、シート面に直交する１つの方向において、一方の端部から他方の端部に向けてしだいに厚みが薄くなっている光学シートが開示されている。
【０００７】
特許文献４には、点光源を用いた直下型点光源バックライトにおいて、優れた輝度均一性を有したまま、バックライトユニットの厚みの薄さを保ち、点光源の個数を大幅に削減することを可能にする直下型点光源バックライト装置として、複数の点光源と、複数の点光源の上方に配置された光学板と、光学板の上方に配置された第１及び第２のプリズムシートと、を備え、複数の点光源のそれぞれは、光ピーク角度が±５０〜８０°であり、光学板は、少なくとも一方の表面に複数の凸型三角錐を有し、光学板の複数の凸型三角錐が賦形された面と反対側の面から入光した光の全光線透過率が３７〜５８％であり、第１及び第２のプリズムシートのそれぞれは、表面に平行に延在する複数の三角プリズムを有し、
第１及び第２のプリズムシートは、それぞれの複数の三角プリズムの延在方向が互いに略直交となるように配置されている、直下型点光源バックライト装置が開示されている。
【先行技術文献】
【特許文献】
【０００８】
【特許文献１】特開２０１０−２７２２４５号公報
【特許文献２】特開２０１２−２４３６１２号公報
【特許文献３】特開２０１２−１９４３９７号公報
【特許文献４】特開２０１３−４４０８号公報
【特許文献５】特開平２−５１１０１号公報
【発明の概要】
【発明が解決しようとする課題】
【０００９】
ＬＥＤからの光は直進性が強い、すなわち、拡散性が小さく、側方に比べて前方に進む光量が多いという特徴がある。そのため、光源としてＬＥＤを使用する場合には、光源近傍と光源から離れた部分との輝度の不均一化を特に調整する必要がある。しかも、近年、パソコンや携帯電話などの液晶表示装置においては、直下型方式及びエッジライト型方式などの方式を問わず、光源の数を減らす傾向があるため、表示画面における輝度の不均一化を調整することが益々重要となって来ている。
【００１０】
このような課題を解決するため、本発明者は、光源から真っ直ぐ前方に進む光は遮断し、光源から前方斜めに進む光を透過させることができるフィルムを、光源の前方、すなわち視認側に配置することによって、輝度の均一化を図ることを着想した。
【００１１】
ちなみに、このような作用を有する部材に関して先行技術を調べたところ、類似する作用を有する部材の発明として、特許文献５（特開平２−５１１０１号公報）には、シート内部の屈折率の違いを利用し、光線透過方向に置いて屈折率差がない角度のみ光線を透過するが、屈折率差を持つ角度で入射した際には散乱を起こす光制御板として、それぞれの屈折率に差がある分子内に１個以上の重合性炭素−炭素二重結合を有する複数の化合物からなり、特定の角度から照射される紫外線によって屈折率の異なる領域が、ある方向に配向した状態で存在するように硬化する重合性組成物から形成された膜又はシートが、該膜又はシートの位置によって紫外線の照射角度を変化させて硬化されてなることを特徴とする光制御板が開示されている。
【００１２】
本発明は、光源から真っ直ぐ前方に進む光は遮断し、光源から前方斜めに進む光を透過させることができる新たな構造の角度依存性光線透過フィルムを提案せんとするものである。
【課題を解決するための手段】
【００１３】
本発明は、フィルム面方向と平行な面内に、一つ又は複数の遮光領域と一つ又は複数の透光領域とを有する、少なくとも２つの遮光層を、フィルム厚さ方向に間隔をおいて備えた角度依存性光線透過フィルムであって、該フィルムのフィルム面に垂直な方向（入射角０°）から入射する波長５５０ｎｍにおける光線透過率ｔ０に対し、該フィルムのフィルム面に対して入射角θで入射する波長５５０ｎｍにおける光線透過率ｔθが、θ＝１０〜７０°において常にｔθ＞ｔ０であることを特徴とする角度依存性光線透過フィルムを提案する。
【発明の効果】
【００１４】
本発明が提案する角度依存性光線透過フィルムによれば、フィルム面に対して垂直に入射する光線（入射角＝０°）の光線透過率ｔ０よりも、フィルム面に対して斜め方向から入射する光線（入射角＞０°）の光線透過率ｔθの方が、入射角１０〜７０°では常に高いという角度依存透光性を得ることができる。よって、本発明が提案する角度依存性光線透過フィルムを、ＬＥＤなどの光源の前方、すなわち視認側に配置することによって、光源から真っ直ぐ前方に進む光は遮断し、光源から前方斜めに進む光を透過させることができるから、少ない数の光源であっても、表示画面における輝度の均一化を高めることができる。
また、看板などにも適用することができるし、覗き見防止を目的として、或いは、季節や時間帯による調光を目的として窓ガラスや屋根材に配置することもできる。
【図面の簡単な説明】
【００１５】
【図１】縞模様（縦横異方性模様）を呈する遮光領域を備えた遮光層を、フィルム厚さ方向に間隔をおいて２層有する角度依存性光線透過フィルムの一例を示した図であり、（Ａ）は垂直上方から上下の遮光層を見た図であり、（Ｂ）は斜め上方から斜めに表裏の遮光層を見た図である。
【図２】市松模様（縦横等方性模様）を呈する遮光領域を備えた遮光層を、フィルム厚さ方向に間隔をおいて２層有する角度依存性光線透過フィルムの一例を示した図であり、（Ａ）は垂直上方から上下の遮光層を見た図であり、（Ｂ）は斜め上方から斜めに表裏の遮光層を見た図である。
【図３】同心円状（点対称模様）を呈する遮光領域を備えた遮光層を、フィルム厚さ方向に間隔をおいて２層有する角度依存性光線透過フィルムの一例を示した図であり、（Ａ）は垂直上方から上下の遮光層を見た図であり、（Ｂ）は斜め上方から斜めに表裏の遮光層を見た図である。
【図４】フィルム厚さ方向に間隔をおいて配置した２層の遮光層における遮光領域が部分的に重なりあっている角度依存性光線透過フィルムの一例を示した図であり、（Ａ）は垂直上方から上下の遮光層を見た図であり、（Ｂ）は斜め上方から斜めに表裏の遮光層を見た図であり、（Ｃ）はフィルムの厚さ方向断面に見た図である。（Ｃ）における点線は遮光領域が重なっている領域を示している。
【図５】フィルムの厚さ方向断面に見た際、表裏の遮光層における遮光領域が全く重なりあっていない角度依存性光線透過フィルムの一例を示した図であり、（Ａ）は垂直上方から上下の遮光層を見た図であり、（Ｂ）は斜め上方から斜めに表裏の遮光層を見た図であり、（Ｃ）はフィルムの厚さ方向断面に見た図である。
【図６】遮光領域が縞模様（縦横異方性模様）を呈する角度依存性光線透過フィルムの一例について、遮光領域を挟んで隣り合う透光領域の中央位置Ｍ１、Ｍ２、並びに中央位置Ｍ１，Ｍ２間の距離Ｄ１、Ｄ２を説明するための図であり、（Ａ）は斜め上方から斜めに表裏の遮光層を見た図であり、（Ｂ）は、表裏の遮光層における遮光領域が全く重なりあっていない角度依存性光線透過フィルムの一例においてフィルムの厚さ方向断面に見た図であり、（Ｃ）は、表裏の遮光層における遮光領域が部分的に重なりあっている角度依存性光線透過フィルムの一例においてフィルムの厚さ方向断面に見た図である。
【図７】遮光領域が市松模様（縦横等方性模様）を呈する角度依存性光線透過フィルムの一例について、遮光領域を挟んで隣り合う透光領域の中央位置Ｍ１，Ｍ２、並びに中央位置Ｍ１，Ｍ２間の距離Ｄ１、Ｄ２を説明するための図であり、（Ａ）は斜め上方から斜めに表裏の遮光層を見た図であり、（Ｂ）は、表裏の遮光層における遮光領域が全く重なりあっていない角度依存性光線透過フィルムの一例においてフィルムの厚さ方向断面に見た図である。
【図８】シミュレーション試験１の計測条件を示した概略図であり、（ａ）は角度依存性光線透過フィルムに対して入射角０°の場合の光源の向き、（ｂ）は入射角３０°の場合の光源の向き、（ｃ）は入射角６０°の場合の光源の向きを示した図である。
【図９】シミュレーション試験２の計測条件を示した概略図であり、（ａ）は角度依存性光線透過フィルムに対して入射角０°の場合の光源の向き、（ｂ）は入射角３０°の場合の光源の向き、（ｃ）は入射角６０°の場合の光源の向きを示した図である。
【図１０】シミュレーション試験４において使用したバックライトの構造を示した概略図であり、（Ａ）は斜視図、（Ｂ）は上面図である。
【図１１】シミュレーション試験４において構成したバックライトモジュール全体の構造を示した概略図であり、（Ａ）は、角度依存性光線透過フィルムをバックライトと拡散板との間に配置した場合を示した斜視図であり、（Ｂ）は、角度依存性光線透過フィルムをバックライトと拡散板との間に配置しなかった参照例１の場合を示した斜視図である。
【図１２】シミュレーション試験５において使用したバックライトの構造を示した概略図であり、（Ａ）は斜視図、（Ｂ）は上面図である。
【図１３】シミュレーション試験１の結果のうち、実施例１で作製した角度依存性光線透過フィルムａを用いた場合の、入射角と光線透過率との関係を示したグラフである。
【図１４】シミュレーション試験１の結果のうち、実施例２で作製した角度依存性光線透過フィルムｂを用いた場合の、入射角と光線透過率との関係を示したグラフである。
【図１５】シミュレーション試験１の結果のうち、実施例３で作製した角度依存性光線透過フィルムｃを用いた場合の、入射角と光線透過率との関係を示したグラフである。
【図１６】シミュレーション試験１の結果のうち、実施例４で作製した角度依存性光線透過フィルムｄを用いた場合の、入射角と光線透過率との関係を示したグラフである。
【図１７】シミュレーション試験１の結果のうち、実施例５で作製した角度依存性光線透過フィルムｅを用いた場合の、入射角と光線透過率との関係を示したグラフである。
【図１８】シミュレーション試験１の結果のうち、実施例６で作製した角度依存性光線透過フィルムｆを用いた場合の、入射角と光線透過率との関係を示したグラフである。
【図１９】シミュレーション試験１の結果のうち、実施例７で作製した角度依存性光線透過フィルムｇを用いた場合の、入射角と光線透過率との関係を示したグラフである。
【図２０】シミュレーション試験２の結果のうち、実施例８で作製した角度依存性光線透過フィルムｈを用いた場合の、入射角と光線透過率との関係を示したグラフである。
【図２１】シミュレーション試験２の結果のうち、実施例９で作製した角度依存性光線透過フィルムｉを用いた場合の、入射角と光線透過率との関係を示したグラフである。
【図２２】シミュレーション試験２の結果のうち、実施例１０で作製した角度依存性光線透過フィルムｊを用いた場合の、入射角と光線透過率との関係を示したグラフである。
【図２３】シミュレーション試験３の結果のうち、比較例１のフィルムｋを用いた場合の、入射角と光線透過率との関係を示したグラフである。
【図２４】シミュレーション試験３の結果のうち、比較例２で作製したフィルムｌを用いた場合の、入射角と光線透過率との関係を示したグラフである。
【図２５】フレネルの式を用いて計算により求めた、透明なＰＭＭＡフィルムについての入射角と光線透過率との関係を示したグラフである。
【発明を実施するための形態】
【００１６】
以下、本発明の実施形態について説明する。但し、本発明の範囲が以下に説明する実施形態に限定されるものではない。
【００１７】
＜本角度依存性光線透過フィルム１＞
以下、本発明の実施形態の一例としての角度依存性光線透過フィルム１（「本角度依存性光線透過フィルム１」と称する）は、フィルムに入射した光を遮蔽する遮光領域を備えた遮光層３０、４０を、フィルムの厚さ方向に適宜間隔を置いて二層以上備えた角度依存性光線透過フィルムである。
【００１８】
この際、上下２層の遮光層３０、４０間の遮光領域３１、４１の模様形状と位置とを調整することにより、光線の入射角度によって透過率を変化させることができ、角度依存性光線透過フィルムとして機能させることができる。
なお、上下２層の遮光層３０、４０は、フィルム厚さ方向に間隔をおいて配置すればよく、基材２の表裏両側に遮光層３０、４０を備えていてもよいし、基材２の内部に適宜間隔をおいて設けてもよい。
基材２の内部に遮光層３０、４０を形成するには、例えば、表側基材、中間基材及び裏側基材から基材２を構成するようにし、中間基材の表裏両側に遮光層３０、４０を形成した後、表側基材、中間基材及び裏側基材の順に積層して基材２を構成するようにすればよい。但し、このような方法に限定されるものではない。
【００１９】
中でも、より具体的な好ましい一例として、基材２の表裏両側に、一つ又は複数の遮光領域３１、４１と一つ又は複数の透光領域３２、４２とを含む遮光層３０、４０を備えた角度依存性光線透過フィルムを挙げることができる。以下、この構成を中心に本角度依存性光線透過フィルム１について説明する。
【００２０】
（角度依存透光性）
本角度依存性光線透過フィルム１は、フィルムに入射した光を遮蔽する遮光領域を備えた遮光層３０、４０を、フィルムの厚さ方向に適宜間隔を置いて二層以上有することによって、次のような角度依存透光性を得ることができる。
【００２１】
本角度依存性光線透過フィルム１では、適宜間隔を置いて設けられた二層の遮光層３０、４０によって、フィルム１に入射した光線は部分的に透過することになる。例えば遮光層３０側から入射する光線は、その透光領域３２からフィルム表面で屈折しつつフィルム１内に入射し、フィルムの他方の表面に到達し、遮光層４０の遮光領域４１に到達した光は主に反射され、透光領域４２に到達した光は主に透過することになる。
この時、一面の遮光層を備えた光線透過フィルムと比較すると、二層の遮光層３０、４０の位置関係に依拠して光線の透過が制限されるため、特定の角度の光線を透過し易くすることができ、特定の角度の光線を透過し難くすることができる。
【００２２】
どの角度の光線が透過し易いかは、二層の遮光層３０、４０における遮光領域３１，４１と透過領域３２、４２の相対的な位置関係に依存することになる。
例えば、遮光層３０の透過領域３１と正面に相対する位置に、遮光層４１の遮光領域４１が重なるように存在すれば、フィルム面に対して垂直な方向から入射する光線の透過率は最も低くなる一方で、フィルム面に対して斜め方向から入射する光線の透過率は高くなる。つまり、フィルムへの入射角（θ）が０°から徐々に光線の入射角を増加させていくと、光線が他面の遮光領域に当たりやすい角度と透過領域に当たりやすい角度が順々に訪れることから、遮光領域と透過領域の相対的な位置関係によって、光線透過率は入射角度が変化することによって連続的に変化するようになる。すなわち、光線透過率に角度依存性が現れることになる。
他方、フィルムへの入射角（θ）が９０°に近づいてくると、下記のフレネルの式に表されるようにフィルム表面での光線の反射しやすさが高まり、透明基材に対する光線の透過率自体が低くなる。
【００２３】
（フレネルの式）
フレネルの式とは、界面における光の振る舞い（反射・屈折）を記述する式である。これによれば、空気中から屈折率ｎの材料に対して垂直方向から入射する光線の反射率ｒは、次式（Ｉ）で表される。
【００２４】
【数１】
2014211596.tif 000003
・・・式（Ｉ）
【００２５】
この時、透過率ｔ０は、ｔ０＝１−ｒで求めることができる。
【００２６】
一方、斜め方向から光線が入射したとき、光線のｓ波（水平偏波）とｐ波（垂直偏波）の反射率ｒｓ、ｒｐは、入射角θｉ、屈折角θｔを用いて、それぞれ次式（ＩＩ）及び（ＩＩＩ）で表される。
【００２７】
【数２】
2014211596.tif 000004
・・・式（ＩＩ）
【００２８】
【数３】
2014211596.tif 000005
・・・式（ＩＩＩ）
【００２９】
この場合、上記ｒｓとｒｐを平均化したものが光線の反射率となるので、透過率ｔは、ｔ＝１−（ｒｓ＋ｒｐ）／２で求めることができる。
【００３０】
基材がポリメチルメタクリレート樹脂である時の光線透過率の角度依存性を上記の式より求め、グラフにすると、図２５のようになり、ｔはθに依存していることを確認できる。すなわち、通常の透明なフィルムにおいても、入射角θによって光線透過率ｔθが変化する。その際、光線透過率は入射角０°の時が最大となり、これを基準として９０°に向かうにつれて低くなる傾向を示す。
これに対し、本角度依存性光線透過フィルム１における光線透過率の角度依存透光性は、次に説明するように通常の透明なフィルムとは異なるものである。
【００３１】
（角度依存透光性（１））
本角度依存性光線透過フィルム１は、該フィルム１のフィルム面に垂直な方向（入射角０°）から入射する波長５５０ｎｍにおける光線透過率ｔ０に対し、該フィルムのフィルム面に対して入射角θで入射する波長５５０ｎｍにおける光線透過率ｔθが、θ＝１０〜７０°において常にｔθ＞ｔ０であるという角度依存透光性（１）を備えるものである。
本角度依存性光線透過フィルム１がこのような角度依存透光性（１）を備えていれば、光源から真っ直ぐ前方に進む光は遮断し、光源から前方斜めに進む光を透過させることができる。
【００３２】
本角度依存性光線透過フィルム１が角度依存透光性（１）を備えるためには、フィルム１の厚さ方向断面にみて、表裏一側の遮光層３０における各透光領域３２の位置と、表裏他側の遮光層４０における各透光領域４２の位置とを一致させないようにすればよい。
なお、遮光層３０と遮光層４０を、基材２の表裏面に設けるだけではなく、内部に適宜間隔をおいて設けることによっても、上記のような角度依存透光性（１）を備えることができる。基材２の内部に遮光層３０、４０を形成するには、例えば、表側基材、中間基材及び裏側基材から基材２を構成するようにし、中間基材の表裏両側に遮光層３０、４０を形成した後、表側基材、中間基材及び裏側基材の順に積層して本角度依存性光線透過フィルム１を構成するようにすればよい。
【００３３】
（角度依存透光性（２））
本角度依存性光線透過フィルム１は、フィルム１のフィルム面に垂直な方向（入射角０°）から入射する波長５５０ｎｍにおける光線透過率ｔ０が２〜５０％であり、かつ、該フィルムのフィルム面に対して入射角θで入射する波長５５０ｎｍにおける光線透過率ｔθが、θ＝１０〜７０°において常にｔθ＞ｔ０であるという角度依存透光性（２）を備えることも可能である。
本角度依存性光線透過フィルム１がこのような角度依存透光性（２）を備えていれば、光源から真っ直ぐ前方に進む光は遮断し、光源から前方斜めに進む光を透過させることができると共に、画面の輝度をさらに高めることができる。
【００３４】
本角度依存性光線透過フィルム１が角度依存透光性（２）を備えるためには、基材の光線透過率、遮光領域の光線透過率・面積割合、表裏の遮光層における遮光領域及び透光領域の重なり具合などを調整することにより、ｔ０及びｔθを調整するのが好ましい。
【００３５】
（角度依存透光性（３））
本角度依存性光線透過フィルム１は、フィルム１のフィルム面に垂直な方向（入射角０°）から入射する波長５５０ｎｍにおける光線透過率ｔ０が２％未満であり、かつ、該フィルムのフィルム面に対して入射角θで入射する波長５５０ｎｍにおける光線透過率ｔθが、θ＝１０〜７０°において常にｔθ＞ｔ０を満たし、且つｔθ≧５％であるという角度依存透光性（３）を備えることも可能である。
本角度依存性光線透過フィルム１がこのような角度依存透光性（３）を備えていれば、光源から真っ直ぐ前方に進む光は遮断し、光源から前方斜めに進む光を透過させることができると共に、画面の輝度の均一性をさらに高めることができる。
【００３６】
本角度依存性光線透過フィルム１が角度依存透光性（３）を備えるためには、基材の光線透過率、遮光領域の光線透過率・面積割合、表裏の遮光層における遮光領域及び透光領域の重なり具合などを調整することにより、ｔ０及びｔθを調整するのが好ましい。
【００３７】
（角度依存透光性（４））
本角度依存性光線透過フィルム１は、入射角θを変化させてシミュレーションを行った時に、入射角θが所定の角度までは、光線透過率（ｔθ）が急に低下することがなく（図１５参照）、光線透過率（ｔθ）が次第に大きくなることを特徴とする角度依存透光性（４）を備えることが好ましい。
例えば、各遮光層において、合同又は相似の形状を呈する複数の透光領域が一定周期のパターンにより配列されてなる場合に、基材２の厚みＴと、遮光領域を挟んで隣り合う透光領域の中央位置間の距離Ｄとの関係において「Ｔ／Ｄ」の値が小さすぎると、入射角θが大きくなるにつれて光線透過率（ｔθ）が次第に大きくなっても、或る角度で急に光線透過率（ｔθ）が低下する場合がある。
【００３８】
本角度依存性光線透過フィルム１が角度依存透光性（４）を備えるためには、後述する実施例にも示されるように、当該「Ｔ／Ｄ」の値を０．０５〜５の範囲で調整するのが好ましく、中でもＴ／Ｄを０．１以上或いは２以下、その中でも０．２５以上或いは１以下の範囲で調整するのがさらに好ましい。特にＴ／Ｄが１以下の範囲であれば、入射角θに対する光線透過率（ｔθ）の急な低下が少なくなるためとりわけ好ましい（図１５〜２２参照）。但し、本角度依存性光線透過フィルム１の用途に応じて意図的に入射角θに対する光線透過率（ｔθ）の変動をやや大きくしたい場合は、Ｔ／Ｄが１より大きいもの、中でもＴ／Ｄが２以上のもの、その中でもＴ／Ｄが５以上のものが特に好適である。
【００３９】
なお、上記光線透過率（ｔ０）及び光線透過率（ｔθ）は、シミュレーション試験によって算出することができる。すなわち、光源として直線光を照射する面光源を設定すると共に、透光領域の中央位置間の距離Ｄに基づいて１０Ｄ×１０Ｄの面積における平均光線透過率を算出することで、ｔ０及びｔθを求めることができる。
また、製品としての「光線透過フィルム」についてシミュレーション試験を行う場合には、該製品から、基材の材質・厚さ、遮光領域の模様の形・大きさ・ピッチ・反射率・光線透過率・面積割合、表裏の遮光層における遮光領域及び透光領域の重なり具合と言った設定条件を読み取り、製品名「Ｌｉｇｈｔ  Ｔｏｏｌｓ」などの光線追跡シミュレーションソフトを用いて、読み取った設定条件を入力してシミュレーション試験を行ってｔ０及びｔθを算出することができる。
【００４０】
（積層構成）
基材２の表裏面に遮光層３０、４０が直接形成されていてもよいし、他の層を介して基材２の表裏側に遮光層３０、４０が形成されていてもよい。
この際、他の層としては、例えば所定の波長の光線のみを透過するフィルムや、偏光板などから構成される層を挙げることができる。
【００４１】
（基材２）
基材２は、光を透過すれば、透明であっても、半透明であってもよく、また、光拡散性を備えたものであってもよい。
【００４２】
基材２を構成するベース樹脂としては、例えば三酢酸セルロース等のセルロース系樹脂や、ポリエチレンテレフタレート（ＰＥＴ）、ポリエチレンナフタレート（ＰＥＮ）、ポリ乳酸（ＰＬＡ）等のポリエステル系樹脂や、ポリエチレン（ＰＥ）、ポリプロピレン（ＰＰ）、シクロオレフィン系（ＣＯＣ、ＣＯＰ）樹脂等のポリオレフィン系樹脂や、ポリメチルメタクレート（ＰＭＭＡ）等のアクリル系樹脂や、ポリカーボネート（ＰＣ）樹脂や、ポリテトラフルオロエチレン（ＰＴＦＥ）等のフッ素系樹脂などを挙げることができる。
中でも、可視光の光線吸収の少ないポリメチルメタクリレート（ＰＭＭＡ）、ポリカーボネート（ＰＣ）、ポリエチレンテレフタレート（ＰＥＴ）、環状ポリオレフィン（ＣＯＣ、ＣＯＰ）、ポリテトラフルオロエチレン（ＰＴＦＥ）等を用いることが好ましい。
【００４３】
基材２は、１層からなるものであっても、２層以上からなるものであってもよい。例えば、光拡散フィルムからなる層を含んでいてもよい。
【００４４】
いわゆる透明なフィルムを基材２として使用する場合、基材２の波長４００〜７００ｎｍにおける平均光線透過率は５０％以上であるのが好ましく、中でも７０％以上、その中でも８５％以上であるのがさらに好ましい。
なお、特定の波長の光線のみを透過する光線透過率を備えたものでもよい。
【００４５】
一方、基材２は光拡散性を備えていてもよい。
例えば、前記基材２の少なくとも表裏一側の表面に凹凸形状若しくはプリズム形状を形成して光拡散性を備えたものでもよい。
また、基材２の内部に無機微粒子又は有機微粒子を散在することによって、光拡散性を備えたものでもよい。
【００４６】
また、前記基材２の屈折率は１．００以上２．００以下であるのが好ましい。より好ましくは１．３０以上１．８０以下である。基材２の屈折率と空気の屈折率との間の差が大きいと、斜めから入射した光線がフィルム面に対して垂直方向へ屈折し、後述する遮光層の遮光領域に遮られやすくなるため、透過する光線の入射角度が著しく制限され、本角度依存性光線透過フィルムの光線透過性能が低下してしまうからである。
【００４７】
（遮光層）
本角度依存性光線透過フィルム１は、フィルムの厚さ方向にみて、適宜間隔を置いて二層以上の遮光層３０、４０を有していればよい。
【００４８】
遮光層３０、４０は、フィルム面方向と平行な面内に、遮光領域３１、４１と透光領域３２、４２とを含んでいればよく、典型的には、遮光領域３１、４１と透光領域３２、４２とからなる層である場合を挙げることができる。
この遮光層３０、４０は、基材２の表裏面に直接印刷して形成するようにしてもよいし、遮光層３０、４０を備えたフィルムを基材２の表裏面に積層するようにしてもよい。
【００４９】
（遮光領域）
遮光領域３１、４１は、光線の透過を妨げる作用を有する領域であればよい。かかる観点から、遮光領域の波長４００〜７００ｎｍにおける平均光線透過率は０％以上５０％以下であるのが好ましく、中でも０％以上或いは１０％以下、その中でも０％以上或いは１％以下であるのが好ましい。
【００５０】
遮光領域３１、４１は、光吸収性を備えていてもよい。遮光領域３１、４１が、光吸収性を備えていれば、本角度依存性光線透過フィルム１を、液晶表示装置内で光源と表示画面との間に配置することにより、表示画面における輝度の均一化を図ることができる。また、本角度依存性光線透過フィルム１を建物の窓に沿って配置することにより、外からの覗き見を防止することができるばかりか、室内の温度上昇を防ぐことができる。
例えば、基材２又は基材２に積層するフィルムの表面に、黒色インクなどの光吸収性を有するインクを印刷乃至塗布することにより、光吸収性を備えた遮光領域を形成することができる。
【００５１】
また、遮光領域３１、４１は、光反射性、例えば正反射特性又は拡散反射特性を備えていてもよい。遮光領域３１、４１が光反射性を備えていれば、本角度依存性光線透過フィルム１を、光源と表示画面との間に配置することにより、表示画面における輝度の均一化を図ることができるばかりか、輝度の向上を図ることができる。
例えば、基材２又は基材２に積層するフィルムの表面に、銀錯体を主成分とする導電性銀インクや、特開２０１０−２６５５４３号公報の段落［００２６］〜［００７０］に開示されているように、被覆銀超微粒子を主成分とする導電性銀インクなどの光反射性を有するインクを印刷乃至塗布することにより、光反射性を備えた遮光領域を形成することができる。また、微細形状を腑形するように処理して光反射面とすることもできるし、或いは、金属蒸着によって光反射面を形成することもできる。さらに、反射材を全面に塗布した後に、反射部が残るように削り取って、光反射面を形成することもできる。  
【００５２】
また、遮光領域３１、４１が、光拡散性を備えていてもよく、光線の入射角度によって当該光線の透過側のヘーズを変化させることができる。また、特定波長の光線を吸収する特性を有してもよい。
【００５３】
遮光領域３１、４１は、一つの遮光領域からなるものであってもよいし、又、複数の遮光領域（「遮光領域単位」と称する）からなるものであってもよい。
【００５４】
遮光領域３１、４１の模様（パターン）の一例としては、図１〜３に示すように、帯状の遮光領域単位が適宜間隔を置いて繰り返してなる縞模様（ストライプ形状ともいう）、波状の遮光領域単位が適宜間隔を置いて繰り返してなる波紋形状などのように、縦横方向でパターンが異なる縦横異方性模様、正方形、ひし形又は長方形が繰り返してなる市松模様、丸状或いは矩形状、星型或いは任意の所定形状が適宜間隔をおいて繰り返してなるドット状パターン、三角形状が繰り返してなるプリズム状模様などのように、縦横方向でパターンが異なる縦横等方性模様、或いは、同心円のように相似形状の図形が中心を同一として重なって構成されてなる形状のような点対象模様を挙げることができる。但し、これらの模様（パターン）に限定されるものではない。
【００５５】
最表側、すなわち最も視認側に位置する遮光層３０において、遮光領域３１の合計面積は当該遮光層３０の全面積の１０％以上９０％以下を占めるのが好ましく、中でも３０％以上或いは７０％以下、その中でも４０％以上或いは６０％以下であるのがさらに好ましい。
他方、最裏側、すなわち最も光源側に位置する遮光層４０において、遮光領域４１の合計面積は当該遮光層４０の全面積の１０％以上９０％以下を占めるのが好ましく、中でも３０％以上或いは７０％以下、その中でも４０％以上或いは６０％以下であるのがさらに好ましい。
【００５６】
（透光領域）
透光領域３２、４２は、前記遮光領域３１、４１よりも光線透過率が高い領域であればよい。
透光領域３２、４２は、典型的には、フィルムを平面にみて、上記遮光領域３１、４１が形成されていない部分である。このような場合、遮光領域３１、４１の形成模様（パターン）によって、透光領域３２、４２の形成模様（パターン）が決まると言える。但し、このような構成に限定されるものではない。
【００５７】
遮光領域３２、４２の模様（パターン）の一例としては、合同又は相似の形状を呈する複数の透光領域（「透光領域単位」と称する）が一定周期のパターンにより配列されてなる模様（パターン）を挙げることができる。
例えば、図１〜３に示すように、帯状の透光領域単位が適宜間隔を置いて繰り返してなる縞模様（ストライプ形状ともいう）、波状の透光領域単位が適宜間隔を置いて繰り返してなる波紋形状などのように、縦横方向でパターンが異なる縦横異方性模様、正方形、ひし形又は長方形が繰り返してなる市松模様、丸状或いは矩形状、星型或いは任意の所定形状が適宜間隔をおいて繰り返してなるドット状パターン、三角形状が繰り返してなるプリズム状模様などのように、縦横方向でパターンが異なる縦横等方性模様、或いは、同心円のように相似形状の図形が中心を同一として重なって構成されてなる形状のような点対称模様を挙げることができる。但し、これらの模様（パターン）に限定されるものではない。
透光領域３２、４２が縦横異方性模様からなる場合には、例えばエッジライト型のように、光源が縦横一定方向に配置されている場合に好ましい。他方、縦横等方性模様や点対称模様の場合には、どのような向きでも使用可能であり、例えば直下型のように、光源が表示画面の裏側に配置されている場合に好ましい。
【００５８】
透光領域３２、４２の模様（パターン）によって、光線の角度依存性が発現する方向を制御することができる。例えば、透光領域単位が帯状部からなる組み合わせでは、帯状部が伸びる方向における角度依存性は発揮されないが、例えば透光領域単位が四角形であれば、角度依存性が発現され、さらに星形六角形では角度依存性の有効な方向が増えることになる。
【００５９】
最表側、すなわち最も視認側に位置する遮光層３０において、透光領域３２の合計面積は当該遮光層３０の全面積の１０％以上９０％以下を占めるのが好ましく、中でも３０％以上或いは７０％以下、その中でも４０％以上或いは６０％以下であるのがさらに好ましい。
他方、最裏側、すなわち最も光源側に位置する遮光層４０において、透光領域４２の合計面積は当該遮光層４０の全面積の１０％以上９０％以下を占めるのが好ましく、中でも３０％以上或いは７０％以下、その中でも４０％以上或いは６０％以下であるのがさらに好ましい。
【００６０】
（表裏の遮光層３０、４０の関係）
遮光層３０、４０の相対的な関係については、フィルムの厚さ方向断面にみて、表裏一側の遮光層３０における各透光領域３２の位置と、表裏他側の遮光層４０における各透光領域４２の位置とが一致しないことが好ましい。言い方を変えれば、図１（Ａ）、図２（Ａ）、図３（Ａ）に示すように、本角度依存性光線透過フィルム１を上方から垂直下方に見た際、表裏一側の遮光層３０における各透光領域３２と、表裏他側の遮光層４０における各透光領域４２とがぴったり一致しないことが好ましい。
表裏一側の遮光層３０における各透光領域３２の模様及び位置と、表裏他側の遮光層４０における各透光領域４２の模様及び位置との関係を調整することにより、光線の入射角度に依存する透過率を変化させることができる。
【００６１】
表裏の遮光層３０、４０を対比すると、遮光領域３０、４０の合計面積は同じであっても、異なっていてもよい。輝度の均一化を図る観点からは、光源側、すなわち光線入射側の遮光層４０における遮光領域４１の合計面積が、光線出射側の遮光層３０における遮光領域３１の合計面積よりも大きい方が好ましい。
【００６２】
フィルム厚さ方向のフィルム断面を見た際、透光領域単位又は遮光領域単位の各形状は、表裏の遮光層３０、４０において同じであっても、異なっていてもよい。
フィルム厚さ方向のフィルム断面を見た際、透光領域単位又は遮光領域単位の各大きさは、表裏の遮光層３０、４０において同じであっても、異なっていてもよい。
【００６３】
図４に示すように、フィルム厚さ方向のフィルム断面を見た際、表裏の遮光層３０、４０における遮光領域単位は、部分的に重なりあっていてもよい。表裏の遮光層３０、４０間において遮光領域単位が重なりあっている部分が存在すると、遮光領域が光反射性を有する場合に、フィルムの表裏一側から入射した光線が基材内部において、重なりあっている表裏の遮光領域３１、４１の間で複数回反射し、その後に表裏他側に透過していく結果として、光線透過率が増加して輝度向上に寄与するという効果がある。
かかる観点から、表裏一側の遮光層３０における遮光領域単位と、表裏他側の遮光層４０における遮光領域単位とが重なりあっている遮光領域３１，４１の面積は、前記表裏一側の遮光層３０の面積の０％以上５０％以下であるのが好ましい。中でも０％以上３０％以下であるのがさらに好ましく、０％以上１０％以下であるのが特に好ましい。
【００６４】
また、図５に示すように、フィルム厚さ方向のフィルム断面で見た際、表裏一側の遮光層３０における遮光領域（遮光領域単位）３１と、表裏他側の遮光層４０における遮光領域（遮光領域単位）４１とが、重複した部分が全く無くてもよく、又、両者が離れていてもよい。
表裏の遮光層３０、４０における透光領域（遮光領域単位）３１、４１が所定以上離れていると、その離れた部分から直線光が透過することにより、この直線光によって輝度向上を図ることができるほか、斜め方向からの光線の入射角の制御がより一層確実になるという効果がある。
かかる観点から、表裏一側の遮光層３０における遮光領域（遮光領域単位）と、表裏他側の遮光層４０における遮光領域（遮光領域単位）とが離れている隙間領域の面積は、前記表裏一側の遮光層３０の面積の０〜１０％であるのが好ましい。中でも、輝度均一化の観点から、０％以上或いは５％以下であるのがより好ましく、他方、直線光の透過を必要とする場合は、５％以上或いは１０％以下であるのがより好ましい。
【００６５】
また、前記角度依存性光線透過フィルム１のフィルム面全面に対して、垂直方向から垂直に光を照射させた際（入射角＝０°、この光線を「垂直光」と称する）、投影面積が、前記角度依存性光線透過フィルム１のフィルム面積の９５〜１００％を占めることが好ましい。言い換えれば、フィルム１の前記表裏一側の遮光層３０における遮光領域３１と表裏他側の遮光層４０における遮光領域４１とを重ね合せた際の総遮光領域の面積が、フィルム面積言い換えれば前記表裏一側の遮光層３０の面積の９５〜１００％であるのが好ましい。
このように、垂直光の投影面積がシート面積の９５〜１００％を占めるということは、垂直光の透過率を５％以下に制限できるため、輝度の均一性をより一層高めることができる。
【００６６】
また、表裏両側の遮光層３０、４０において、遮光領域３１，４１と透光領域３２，４２とが交互に配列されている場合、特に同一の形状及び大きさの透光領域単位が所定間隔をおいて繰り返してなる場合には、前記一側の遮光層３０において、遮光領域３１を挟んで隣り合う透光領域３２の中央位置間の距離Ｄ１と、前記他側の遮光層４０において、遮光領域４１を挟んで隣り合う透光領域４２の中央位置間の距離Ｄ２とが、以下の（ａ）又は（ｂ）のいずれかの関係を満たすことが好ましい。
（ａ）Ｄ１≧Ｄ２のとき、Ｎ×（１−０．０５）≦Ｄ１／Ｄ２≦Ｎ×（１＋０．０５）（Ｎは任意の自然数）
（ｂ）Ｄ１＜Ｄ２のとき、Ｎ×（１−０．０５）≦Ｄ２／Ｄ１≦Ｎ×（１＋０．０５）（Ｎは任意の自然数）
【００６７】
上記の（ａ）又は（ｂ）のいずれかの関係を満たしていれば、フィルム面に対して垂直に入射する光線（入射角＝０°）を遮光し、且つ、フィルム面に対して斜め方向から入射する光線（入射角＞０°）をより多く透過する角度依存性をより確実に実現することができる。
よって、かかる観点から、（ａ）Ｄ１≧Ｄ２のとき、Ｄ１／Ｄ２が１以上或いは１０以下であるのがより一層好ましく、１以上或いは５以下であるのがさらに好ましい。また、よって、（ｂ）Ｄ１＜Ｄ２のときのとき、Ｄ２／Ｄ１が１以上或いは１０以下であるのがより一層好ましく、１以上或いは５以下であるのがさらに好ましい。
【００６８】
なお、「遮光領域を挟んで隣り合う透光領域の中央位置間の距離」とは、遮光領域単位及び透光領域単位が交互に繰り返して、例えば図１に示すような縦横異方性模様を形成している場合であれば、フィルム面に対して垂直方向で、且つ、遮光領域単位と透光領域単位が交互に配置される断面で見た時に、遮光領域単位を挟んで隣り合う透光領域単位の中央位置と認められる点Ｍ１、Ｍ２間の距離を指す（図６参照）。
他方、遮光領域単位及び透光領域単位が交互に繰り返して、例えば図２に示すような縦横等方性模様を形成している場合には、透光領域単位同士が「遮光領域を挟まずに隣接する」（例えば市松模様であれば正方形の頂点において接している）透光領域単位同士の中央位置間の距離ではなく、必ず「遮光領域を挟んで隣接する」透光領域単位同士の中央位置と認められる点Ｍ１、Ｍ２の間の距離を指す（図７参照）。
さらに、遮光領域単位及び透光領域単位が交互に繰り返して、例えば図３に示すような点対称模様を形成している場合には、フィルム面に対して垂直方向であり、模様の対称点を通る断面で見たときの、遮光領域単位を挟んで隣接する透光領域単位の中央位置と認められる点Ｍ１、Ｍ２の間の距離を指す。
以上の点は、後述する場合も同様である。
【００６９】
（透光領域と基材の厚みの関係）
表裏の遮光層３０、４０において、遮光領域単位と透光領域単位とが交互に配列されている場合には、光線入射角の選択性を高める観点から、前記基材の厚みＴと、遮光領域を挟んで隣り合う透光領域の中央位置間の距離Ｄとが、５≧Ｔ／Ｄ≧０．０５の関係を有することが好ましい。
この際、Ｔ／Ｄが０．０５以上であれば、本角度依存性光線透過フィルム１に斜め方向から入射する光について、各入射角において透過する光線の透過率が高くなる。一方、Ｔ／Ｄが５以下であれば、入射角ごとの透過率の変動を抑制しやすくなる。
かかる観点から、当該Ｔ／Ｄは、上記範囲の中でも、０．１以上或いは２以下、その中でも０．２５以上或いは１以下であるのがさらに好ましい。
【００７０】
さらに、上述したように、入射角θを変化させてシミュレーションを行った時に、入射角θが所定の角度までは、光線透過率（ｔθ）が急に低下することがなく、光線透過率（ｔθ）が概ね次第に大きくなる角度依存透光性（４）を備えるには、上記Ｔ／Ｄの値を０．０５〜５の範囲になるように調製するのが好ましく、中でも０．１以上或いは２以下、その中でも０．２５以上或いは１以下の範囲になるように調整するのがさらに好ましい（図１３〜図２２参照）。
【００７１】
＜用途＞
本角度依存性光線透過フィルム１は、フィルムに入射する光線の入射角度によって、フィルムを透過する光線の透過率が異なる作用を発揮することができる。具体的には、フィルム面に対して垂直に入射する光線（入射角＝０°）よりも、フィルム面に対して斜め方向から入射する光線（入射角＞０°）の方が、光線透過率が高い角度依存性を発揮することができる。
よって、本角度依存性光線透過フィルム１を、ＬＥＤなどの光源の前方、すなわち視認側に配置することによって、光源から真っ直ぐ前方に進む光は遮断し、光源から前方斜めに進む光を透過させることができるから、直下型方式及びエッジライト型方式などの方式を問わず、少ない数の光源であっても、輝度の均一化を高めることができるバックライトモジュールを構成することができ、当該バックライトモジュールを利用して液晶表示装置を構成することができる。
また、本角度依存性光線透過フィルム１は、光源と組み合わせることにより看板を構成することもできる。
【００７２】
上記光源としては、例えば陰極管のほか、ＬＥＤ、レーザー、エレクトロルミネッセンス等の固体発光素子を挙げることができる。但し、液晶表示装置に使用され得る光源であれば特に限定するものではない。
【００７３】
また、本角度依存性光線透過フィルム１を、窓ガラスに沿って配置することにより、覗き見防止用フィルムや調光フィルムとして利用することもできる。さらに、本角度依存性光線透過フィルム１を屋外テラスなどの屋根材に設けることにより、調光フィルムとして利用することもできる。
【００７４】
＜用語の説明＞
一般的に「シート」とは、ＪＩＳにおける定義上、薄く、一般にその厚さが長さと幅のわりには小さく平らな製品をいい、一般的に「フィルム」とは、長さ及び幅に比べて厚さが極めて小さく、最大厚さが任意に限定されている薄い平らな製品で、通常、ロールの形で供給されるものをいう（日本工業規格ＪＩＳＫ６９００）。例えば厚さに関して言えば、狭義では１００μｍ以上のものをシートと称し、１００μｍ未満のものをフィルムと称すことがある。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
【００７５】
本発明において、「Ｘ〜Ｙ」（Ｘ，Ｙは任意の数字）と表現した場合、特にことわらない限り「Ｘ以上Ｙ以下」の意と共に、「好ましくはＸより大きい」及び「好ましくはＹより小さい」の意を包含するものとする。
また、本発明において、「Ｘ以上」又は「Ｘ≦」（Ｘは任意の数字）と表現した場合、特にことわらない限り、「好ましくはＸより大きい」又は「好ましくはＸ＜」の意を包含し、「Ｙ以下」又は「Ｙ≧」（Ｙは任意の数字）と表現した場合、特にことわらない限り、「好ましくはＹより小さい」又は「好ましくはＹ＞」の意を包含するものとする。
【実施例】
【００７６】
次に、本発明の角度依存性光線透過フィルムの実施例について説明する。但し、本発明は次に説明する実施例に限定されるものではない。  
【００７７】
（実施例１）
縦１００ｍｍ、横１００ｍｍ、厚み１００μｍのポリメチルメタクリレート樹脂製単層フィルム（「ＰＭＭＡフィルム」、波長４００〜７００ｎｍにおける平均光線透過率９０％、屈折率１．４９２）の表面及び裏面に、導電性グラビア銀インク（Ｉｎｃｔｅｃ社製「ＴＥＣ−ＰＲ−０１０」）を用いて、図１に示すように、幅１０μｍの帯状の遮光領域単位が１０μｍ間隔で配列するように印刷することにより、帯状の遮光領域単位（銀色、波長４００〜７００ｎｍにおける平均光線透過率０％）と帯状の透光領域単位（透明、波長４００〜７００ｎｍにおける平均光線透過率９０％）とが交互に繰り返してなる縞模様を呈する遮光層を形成し、角度依存性光線透過フィルムａを作製した。
【００７８】
なお、このようにして得られたフィルムａの構成は以下の通りであった。
表側の遮光層における遮光領域と透光領域の面積比：５０％／５０％
裏側の遮光層における遮光領域と透光領域の面積比：５０％／５０％
表側の遮光領域単位と、裏側の遮光領域単位との重なり面積：シート面積（表側の遮光層の面積）の０％
表側の遮光領域単位と、裏側の遮光領域単位とが離れている面積：シート面積（表側の遮光層の面積）の０％
フィルム面全面に対して、垂直方向から垂直に光を照射させた際の投影面積：フィルム面積の１００％
表側の遮光層において、遮光領域を挟んで隣り合う透光領域の中央位置間の距離Ｄ１と、前記他側の遮光層において、遮光領域を挟んで隣り合う透光領域の中央位置間の距離Ｄ２との関係は、Ｄ１／Ｄ２＝１
表側において、遮光領域を挟んで隣り合う透光領域の中央位置間の距離Ｄと、基材の厚みＴとの関係は、Ｔ／Ｄ＝５
裏側において、遮光領域を挟んで隣り合う透光領域の中央位置間の距離Ｄと、基材の厚みＴとの関係は、Ｔ／Ｄ＝５
【００７９】
（実施例２）
実施例１において、幅２５μｍの帯状の遮光領域単位が２５μｍ間隔で配列するように印刷して縞模様を呈する遮光層を形成した以外、実施例１と同様に角度依存性光線透過フィルムｂを作製した。
【００８０】
このようにして得られたフィルムｂの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝２
裏側において、遮光領域を挟んで隣り合う透光領域の中央位置間の距離Ｄと、基材の厚みＴとの関係は、Ｔ／Ｄ＝２
【００８１】
（実施例３）
実施例１において、幅５０μｍの帯状の遮光領域単位が５０μｍ間隔で配列するように印刷して縞模様を呈する遮光層を形成した以外、実施例１と同様に角度依存性光線透過フィルムｃを作製した。
【００８２】
このようにして得られたフィルムｃの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝１
裏側において、遮光領域を挟んで隣り合う透光領域の中央位置間の距離Ｄと、基材の厚みＴとの関係は、Ｔ／Ｄ＝１
【００８３】
（実施例４）
実施例１において、幅１００μｍの帯状の遮光領域単位が１００μｍ間隔で配列するように印刷して縞模様を呈する遮光層を形成した以外、実施例１と同様に角度依存性光線透過フィルムｄを作製した。
【００８４】
このようにして得られたフィルムｄの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝０．５
裏側において、遮光領域を挟んで隣り合う透光領域の中央位置間の距離Ｄと、基材の厚みＴとの関係は、Ｔ／Ｄ＝０．５
【００８５】
（実施例５）
実施例１において、幅２００μｍの帯状の遮光領域単位が２００μｍ間隔で配列するように印刷して縞模様を呈する遮光層を形成した以外、実施例１と同様に角度依存性光線透過フィルムeを作製した。
【００８６】
このようにして得られたフィルムeの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝０．２５
裏側において、遮光領域を挟んで隣り合う透光領域の中央位置間の距離Ｄと、基材の厚みＴとの関係は、Ｔ／Ｄ＝０．２５
【００８７】
（実施例６）
実施例１において、幅５００μｍの帯状の遮光領域単位が５００μｍ間隔で配列するように印刷して縞模様を呈する遮光層を形成した以外、実施例１と同様に角度依存性光線透過フィルムｆを作製した。
【００８８】
このようにして得られたフィルムｆの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝０．１
裏側において、遮光領域を挟んで隣り合う透光領域の中央位置間の距離Ｄと、基材の厚みＴとの関係は、Ｔ／Ｄ＝０．１
【００８９】
（実施例７）
実施例１において、幅１０００μｍの帯状の遮光領域単位が１０００μｍ間隔で配列するように印刷して縞模様を呈する遮光層を形成した以外、実施例１と同様に角度依存性光線透過フィルムｇを作製した。
【００９０】
このようにして得られたフィルムｇの構成は、フィルムａと比較して、以下の点で構成が相違していた以外は、フィルムａと同様であった。
表側において、遮光領域を挟んで隣り合う透光領域の中央位置間の距離Ｄと、基材の厚みＴとの関係は、Ｔ／Ｄ＝０．０５
裏側において、遮光領域を挟んで隣り合う透光領域の中央位置間の距離Ｄと、基材の厚みＴとの関係は、Ｔ／Ｄ＝０．０５
【００９１】
（実施例８）
縦１００ｍｍ、横１００ｍｍ、厚み１００μｍのポリメチルメタクリレート樹脂製単層フィルム（「ＰＭＭＡフィルム」、波長４００〜７００ｎｍにおける平均光線透過率９０％、屈折率１．４９２）の表面及び裏面に、導電性グラビア銀インク（Ｉｎｃｔｅｃ社製「ＴＥＣ−ＰＲ−０１０」）を用いて、図２に示すように、一辺１００μｍの正方形の遮光領域単位が、縦横方向に１００μｍ間隔で配列するように印刷することにより、一辺１００μｍの正方形状の遮光領域単位（銀色、波長４００〜７００ｎｍにおける平均光線透過率０％）と、一辺１００μｍの正方形状の透光領域単位（透明、波長４００〜７００ｎｍにおける平均光線透過率９０％）とが、縦横方向に交互に繰り返してなる市松模様を呈する遮光層を形成し、角度依存性光線透過フィルムｈを作製した。
【００９２】
このようにして得られたフィルムｈの構成は以下の通りである。
表側の遮光層における遮光領域と透光領域の面積比：５０％／５０％
裏側の遮光層における遮光領域と透光領域の面積比：５０％／５０％
表側の遮光領域単位と、裏側の遮光領域単位との重なり面積：シート面積（表側の遮光層の面積）の０％
表側の遮光領域単位と、裏側の遮光領域単位とが離れている面積：シート面積（表側の遮光層の面積）の０％
フィルム面全面に対して、垂直方向から垂直に光を照射させた際の投影面積：フィルム面積の１００％
表側の遮光層において、遮光領域を挟んで隣り合う透光領域の中央位置間の距離Ｄ１と、前記他側の遮光層において、遮光領域を挟んで隣り合う透光領域の中央位置間の距離Ｄ２との関係は、Ｄ１／Ｄ２＝１
表側において、遮光領域を挟んで隣り合う透光領域の中央位置間の距離Ｄと、基材の厚みＴとの関係は、Ｔ／Ｄ＝０．５
裏側において、遮光領域を挟んで隣り合う透光領域の中央位置間の距離Ｄと、基材の厚みＴとの関係は、Ｔ／Ｄ＝０．５
【００９３】
（実施例９）
実施例８において、一辺２００μｍの正方形の遮光領域単位が、縦横方向に２００μｍ間隔で配列するように印刷して市松模様を呈する遮光層を形成した以外、実施例８と同様に角度依存性光線透過フィルムｉを作製した。
【００９４】
このようにして得られたフィルムｉの構成は、フィルムｈと比較して、以下の点で構成が相違していた以外は、フィルムｈと同様であった。
表側において、遮光領域を挟んで隣り合う透光領域の中央位置間の距離Ｄと、基材の厚みＴとの関係は、Ｔ／Ｄ＝０．２５
裏側において、遮光領域を挟んで隣り合う透光領域の中央位置間の距離Ｄと、基材の厚みＴとの関係は、Ｔ／Ｄ＝０．２５
【００９５】
（実施例１０）
実施例８において、一辺５００μｍの正方形の遮光領域単位が、縦横方向に５００μｍ間隔で配列するように印刷して市松模様を呈する遮光層を形成した以外、実施例８と同様に角度依存性光線透過フィルムｊを作製した。
【００９６】
このようにして得られたフィルムｊの構成は、フィルムｈと比較して、以下の点で構成が相違していた以外は、フィルムｈと同様であった。
表側において、遮光領域を挟んで隣り合う透光領域の中央位置間の距離Ｄと、基材の厚みＴとの関係は、Ｔ／Ｄ＝０．１
裏側において、遮光領域を挟んで隣り合う透光領域の中央位置間の距離Ｄと、基材の厚みＴとの関係は、Ｔ／Ｄ＝０．１
【００９７】
（比較例１）
縦１００ｍｍ、横１００ｍｍ、厚み１００μｍのポリメチルメタクリレート樹脂製単層フィルム（「ＰＭＭＡフィルム」、波長４００〜７００ｎｍにおける平均光線透過率９０％、屈折率１．４９２）に何ら加工を施さず、フィルムｋとした。
【００９８】
（比較例２）
ポリカーボネート樹脂（厚み１００μｍの単層フィルムとした場合、波長４００〜７００ｎｍにおける平均光線透過率９０％、屈折率１．５８５）に、平均粒径が２μｍのアクリルビーズ（屈折率１．４９２）を体積含有率で３１％となるように混合した樹脂組成物を用いて、縦１００ｍｍ、横１００ｍｍ、厚み１００μｍの単層のフィルムｌ（「ＰＣフィルム」）を作製した。
【００９９】
＜シミュレーション試験１＞
実施例１で作製した角度依存性光線透過フィルムａについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
【０１００】
この際、入射角は以下のように設定した。
三次元空間座標系について、フィルム面内において上記帯状の遮光領域が伸びている方向と平行な方向をｘ軸、フィルム面内においてｘ軸と垂直な方向をｙ軸、フィルム面に対し垂直な方向をｚ軸とした。
初期位置を、フィルム面と平行に設置した面光源からｚ軸に平行な光線のみが照射されていると仮定し、ｘ軸を中心軸として面光源を回転させて、その回転角（面光源とｙ軸とのなす角）をフィルムに入射する光線の入射角とした。
なお、回転角は０°〜９０°の範囲で設定し、１°刻みで光線透過率を計測した。（図８参照）
【０１０１】
その結果、入射角０°における光線透過率が０％となり、入射角１°から入射角を大きくした際の光線透過率を１°刻みでグラフにすると、光線透過率のグラフは図１３のようになった。この結果から、入射角１０°以上、７０°以下の範囲内において、垂直方向から入射した時（入射角０°）よりも光線透過率が高くなっていることが分かった。
【０１０２】
同様に、実施例２で作製した角度依存性光線透過フィルムｂについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１４のようになった。この結果から、入射角１０°以上、７０°以下の範囲内において、垂直方向から入射した時（入射角０°）よりも光線透過率が高くなっていることが分かった。
【０１０３】
同様に、実施例３で作製した角度依存性光線透過フィルムｃについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１５のようになった。この結果から、入射角１０°以上、７０°以下の範囲内において、垂直方向から入射した時（入射角０°）よりも光線透過率が高くなっていることが分かった。
【０１０４】
同様に、実施例４で作製した角度依存性光線透過フィルムｄについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１６のようになった。この結果から、入射角１０°以上、７０°以下の範囲内において、垂直方向から入射した時（入射角０°）よりも光線透過率が高くなっていることが分かった。
【０１０５】
同様に、実施例５で作製した角度依存性光線透過フィルムｅについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１７のようになった。この結果から、入射角１０°以上、７０°以下の範囲内において、垂直方向から入射した時（入射角０°）よりも光線透過率が高くなっていることが分かった。
【０１０６】
同様に、実施例６で作製した角度依存性光線透過フィルムｆについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１８のようになった。この結果から、入射角１０°以上、７０°以下の範囲内において、垂直方向から入射した時（入射角０°）よりも光線透過率が高くなっていることが分かった。
【０１０７】
同様に、実施例７で作製した角度依存性光線透過フィルムｇについて、面光源を用いて、波長５５０ｎｍの光を、図８に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図１９のようになった。この結果から、入射角１０°以上、７０°以下の範囲内において、垂直方向から入射した時（入射角０°）よりも光線透過率が高くなっていることが分かった。
【０１０８】
図１３〜図１９のグラフから、入射角を次第に大きくしていった際に光線透過率（ｔθ）が急に低下することがなく、光線透過率（ｔθ）が概ね次第に大きくなる角度依存透光性（４）を備えるには、上記Ｔ／Ｄの値を０．０５〜５の範囲になるように調製するのが好ましく、中でも０．１以上或いは２以下、その中でも０．２５以上或いは１以下の範囲になるように調整するのがさらに好ましいことが分かった。
また、Ｔ／Ｄが１以下の範囲であれば、入射角θに対する光線透過率（ｔθ）の急な低下が少なくなるため、輝度の均一化に好適である。一方、Ｔ／Ｄを１より大きくすると、入射角θに対する光線透過率（ｔθ）の変動がやや大きくなることから、特定の入射角θでの光線透過率を低下させるなどの制御が可能となる。すなわち、本角度依存性光線透過フィルム１は用途に応じて意図的に光線透過率（ｔθ）の変動を制御できることが分かった。
【０１０９】
＜シミュレーション試験２＞
実施例８で作製した角度依存性光線透過フィルムｈについて、面光源を用いて、波長５５０ｎｍの光を、図９に示すように、入射角を変えて照射した時の光線透過率を、光線追跡シミュレーションソフト（製品名：Ｌｉｇｈｔ  Ｔｏｏｌｓ）を用いて計測した。
【０１１０】
この際、入射角は、以下のように設定した。
三次元空間座標系について、フィルム面内において上記正方形の遮光領域単位の一辺の方向と平行な方向をｘ軸、フィルム面内においてｘ軸と垂直な方向をｙ軸、フィルム面に対し垂直な方向をｚ軸とした。
初期位置をフィルム面と平行に設置した面光源からｚ軸に平行な光線のみが照射されていると仮定し、ｘ軸を中心軸として面光源を回転させて、その回転角（面光源とｙ軸とのなす角）をフィルムに入射する光線の入射角とした。
なお、回転角は０°〜９０°の範囲で設定し、１°刻みで光線透過率を計測した。この場合、正方形の等方性のため、ｙ軸を中心軸として面光源を回転させた場合（回転角は面光源とｘ軸とのなす角とする）でも同様の測定となった。（図９参照）
【０１１１】
その結果、入射角０°における光線透過率が０％となり、入射角１°から入射角を大きくした際の光線透過率を１°刻みでグラフにすると、光線透過率のグラフは図２０のようになった。この結果から、入射角１０°以上、７０°以下の範囲内において、垂直方向から入射した時（入射角０°）よりも光線透過率が高くなっていることが分かった。
この時、正方形の辺に垂直な方向は二方向に展開されており、どちらの方向を測定しても透過率の角度依存性は同等のものを示していた。
【０１１２】
同様に、実施例９で作製した角度依存性光線透過フィルムｉについて、面光源を用いて、波長５５０ｎｍの光を、図９に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図２１のようになった。この結果から、入射角１０°以上、７０°以下の範囲内において、垂直方向から入射した時（入射角０°）よりも光線透過率が高くなっていることが分かった。
【０１１３】
同様に、実施例１０で作製した角度依存性光線透過フィルムｊについて、面光源を用いて、波長５５０ｎｍの光を、図９に示すように、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が０％となり、入射角１°から入射角を大きくした際の光線透過率を１°刻みでグラフにすると、光線透過率のグラフは図２２のようになった。この結果から、入射角１０°以上、７０°以下の範囲内において、垂直方向から入射した時（入射角０°）よりも光線透過率が高くなっていることが分かった。
【０１１４】
＜シミュレーション試験３＞
比較例１のフィルムｋについて、面光源を用いて、波長５５０ｎｍの光を、入射角を変えて照射した時の光線透過率を、光線追跡シミュレーションソフト（製品名：Ｌｉｇｈｔ  Ｔｏｏｌｓ）を用いて計測した。
【０１１５】
この際、入射角は以下のように設定した。
三次元空間座標系について、フィルム面内において任意の方向をｘ軸、フィルム面内においてｘ軸と垂直な方向をｙ軸、フィルム面に対し垂直な方向をｚ軸とした。
初期位置を、フィルム面と平行に設置した面光源からｚ軸に平行な光線のみが照射されていると仮定し、ｘ軸を中心軸として面光源を回転させて、その回転角（面光源とｙ軸とのなす角）をフィルムに入射する光線の入射角とした。
なお、回転角は０°〜９０°の範囲で設定し、１°刻みで光線透過率を計測した。
【０１１６】
その結果、入射角０°における光線透過率が９０％となり、入射角１°から入射角を大きくした際の光線透過率を１°刻みでグラフにすると、光線透過率のグラフは図２３のようになった。この結果から、入射角１０°以上、７０°以下の範囲内において、垂直方向から入射した時（入射角０°）よりも光線透過率が低くなっていることが分かった。この結果は、図２５に示したフレネルの式より求めた光線透過率の角度依存性の理論値と一致した結果となっている。
このような、垂直方向からの光線透過率が最も高いという特性は、一般的なフィルムの光線透過率の角度依存性である。上記実施例１〜１０で現れた光線透過率の角度依存性は、一般的なフィルムでは見られない特性であることを確認することができる。
【０１１７】
同様に、比較例２で作製したフィルムｌについて、面光源を用いて、波長５５０ｎｍの光を、入射角を変えて照射した時の光線透過率を、光線追跡シミュレーションソフト（製品名：Ｌｉｇｈｔ  Ｔｏｏｌｓ）を用いて計測した。
その結果、入射角０°における光線透過率が９０％となり、入射角１°から入射角を大きくした際の光線透過率を１°刻みでグラフにすると、光線透過率のグラフは図２４のようになった。この結果から、入射角１０°以上、７０°以下の範囲内において、垂直方向から入射した時（入射角０°）よりも光線透過率が低くなっていることが分かった。
【０１１８】
＜シミュレーション試験４＞
実施例で作製した角度依存性光線透過フィルムについて、角度依存性光線透過フィルムの輝度均一化効果を確認するために、シミュレーション試験４を行った。
【０１１９】
具体的には、前記光線追跡シミュレーションソフトによって実現される処理において、図１０及び図１１に示されるように、光源と、反射シートで囲まれたバックライトモジュールを、以下の条件でモデリングし、バックライトモジュールの視認面側の縁上に、輝度均一化用の拡散板及び実施例９で作製した角度依存性光線透過フィルムｉを配置した場合を想定して、拡散板上の照度を光学シミュレーションにより求めた。
【０１２０】
・バックライトモジュールの寸法：高さ１６ｍｍ、幅１３５ｍｍ、奥行１７５ｍｍ
・バックライトモジュールの反射面：反射率１００％（完全拡散反射で定義）
・光源：ＬＥＤ１個を配置。ＬＥＤサイズ：高さ１ｍｍ、幅５ｍｍ、奥行５ｍｍ。光源から出射される光の光線波長：λ５５０ｎｍ、光線強度はＬＥＤ個々の強度が均一であれば任意となるが、１Ｗの発光とした。ＬＥＤの中央位置はバックライトモジュールの中央とした。
・拡散板１：反射率３０％、透過率７０％、厚さ１．５ｍｍ、幅１３５ｍｍ、奥行１７５ｍｍ
・角度依存光線透過フィルム：実施例９で作製したフィルムｉを使用した。このとき、遮光領域の反射率は１００％の正反射を定義した。
【０１２１】
拡散板１の光源側に、本発明の角度依存光線透過シートを有するバックライトモジュールの照度を解析した。その結果、最も明るいＬＥＤ直上近傍における照度が４．４６×１０−４Ｗ／ｍｍ２であり、全体の照度平均値が１．６９×１０−４Ｗ／ｍｍ２であった。
【０１２２】
（参照例１）
なお、上記シミュレーション試験４において、角度依存性光線透過フィルムｉを使用しない場合のバックライトモジュールの照度を解析したところ、最も明るいＬＥＤ直上近傍における照度が１．６５×１０−３Ｗ／ｍｍ２、全体の照度平均値が１．７８×１０−４Ｗ／ｍｍ２であった。
【０１２３】
（参照例２）
また、上記シミュレーション試験４において、拡散板１を下記の拡散板２に変更すると共に、角度依存性光線透過フィルムｉを使用しない場合のバックライトモジュールの照度を解析した。その結果、最も明るいＬＥＤ直上近傍における照度が９．４３×１０−４Ｗ／ｍｍ２、全体の照度平均値が１．６６×１０−４Ｗ／ｍｍ２であった。
拡散板２：反射率３０％、透過率７０％、厚さ１０ｍｍ、幅１３５ｍｍ、奥行１７５ｍｍ
【０１２４】
参照例１及び２に見られるように、拡散板を厚く配置することによって、ＬＥＤの過剰な輝度は面方向に広がり、視認性が向上することが分かった。しかしこの時、拡散板の厚さが増すことによるディスプレイの厚肉化や、拡散板側面からの光漏れが発生するため、光量低下につながるため、好ましくない。
一方で、上記シミュレーション試験４に見られるように、本角度依存光線透過フィルムを拡散板と合わせて用いることによって、過剰であった最高照度が小さくなり照度の均一化が達成できていることがわかる。
【０１２５】
＜シミュレーション試験５＞
シミュレーション試験４と同様に、前記光線追跡シミュレーションソフトによって実現される処理において、図１２に示されるように、光源と、反射シートで囲まれたバックライトモジュールをモデリングし、バックライトモジュールの視認面側の縁上に、輝度均一化用の拡散板及び実施例９で作製した角度依存性光線透過フィルムｉを配置した場合を想定して、拡散板上の照度を光学シミュレーションにより求めた。
【０１２６】
なお、モデリングしたバックライトモジュールについて、シミュレーション試験４との相違点は下記の通りである。
・光源：ＬＥＤ９個を３×３となるように配置。ＬＥＤサイズ：高さ１ｍｍ、幅５ｍｍ、奥行５ｍｍ。光源から出射される光の光線波長：λ５５０ｎｍ、光線強度はＬＥＤ個々の強度が均一であれば任意となるが、１個あたり１Ｗの発光とした。ＬＥＤの中央位置はバックライトモジュールの中央とした。
【０１２７】
拡散板１の光源側に、本発明の角度依存光線透過シートを有するバックライトモジュールの照度を解析した。その結果、最も明るいＬＥＤ直上近傍における照度が１．７４×１０−３Ｗ／ｍｍ２であり、全体の照度平均値が１．４９×１０−３Ｗ／ｍｍ２であった。
【０１２８】
（参照例３）
なお、上記シミュレーション試験５において、角度依存性光線透過フィルムｉを使用しない場合のバックライトモジュールの照度を解析したところ、最も明るいＬＥＤ直上近傍における照度が２．５９×１０−３Ｗ／ｍｍ２、全体の照度平均値が１．４７×１０−３Ｗ／ｍｍ２であった。
【０１２９】
（参照例４）
また、上記シミュレーション試験５において、拡散板１を拡散板２に変更すると共に、角度依存性光線透過フィルムｉを使用しない場合のバックライトモジュールの照度を解析した。その結果、最も明るいＬＥＤ直上近傍における照度が２．２６×１０−３Ｗ／ｍｍ２、全体の照度平均値が１．４２×１０−３Ｗ／ｍｍ２であった。
【図１】
2014211596.tif 000006
【図２】
2014211596.tif 000007
【図３】
2014211596.tif 000008
【図４】
2014211596.tif 000009
【図５】
2014211596.tif 000010
【図６】
2014211596.tif 000011
【図７】
2014211596.tif 000012
【図８】
2014211596.tif 000013
【図９】
2014211596.tif 000014
【図１０】
2014211596.tif 000015
【図１１】
2014211596.tif 000016
【図１２】
2014211596.tif 000017
【図１３】
2014211596.tif 000018
【図１４】
2014211596.tif 000019
【図１５】
2014211596.tif 000020
【図１６】
2014211596.tif 000021
【図１７】
2014211596.tif 000022
【図１８】
2014211596.tif 000023
【図１９】
2014211596.tif 000024
【図２０】
2014211596.tif 000025
【図２１】
2014211596.tif 000026
【図２２】
2014211596.tif 000027
【図２３】
2014211596.tif 000028
【図２４】
2014211596.tif 000029
【図２５】
2014211596.tif 000030